【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
材料を吐出する複数のインクジェットで構成されたプリントヘッドと、
前記プリントヘッドから吐出される材料を受けるために、感熱基板を前記プリントヘッドに対向する位置に移動させるように構成された感熱基板供給部と、
前記感熱基板上の位置における光学濃度に対応した電気信号を発生するように構成された光学センサと、
前記光学センサに動作可能に接続され、前記光学センサを前記材料が吐出された前記感熱基板に対向する位置に移動させるように構成されたアクチュエータと、
前記感熱基板の所定長さを熱に曝露させるように構成されたヒータと、
複数のアクチュエータ、前記光学センサ、前記ヒータ、および前記プリントヘッドに動作可能に接続され、前記各インクジェットから所定数の材料液滴を前記感熱基板に吐出させるために前記プリントヘッドを操作して、前記所定数の材料液滴により前記感熱基板上に前記各インクジェットのテストドットを形成可能とし、前記感熱基板の熱に曝される前記所定長さを黒化させるためにヒータを操作し、前記感熱基板の画像データおよび前記感熱基板上の前記テストドットを生成するために前記光学センサを前記感熱基板に対向する位置に移動させるために前記アクチュエータを操作し、前記感熱基板の複数の位置における前記感熱基板の光学濃度に対応する前記光学センサから受信した前記画像データを参照して前記プリントヘッドの不動作インクジェットを特定するように構成されたコントローラと、を備えるプリンタ。
【請求項２】
前記感熱基板供給部は、
取り付けられたロールに前記感熱基板供給部が巻き付けられた第１のローラと、
前記感熱基板供給部の遊端に取り付けられ、回転することにより前記感熱基板を前記第１のローラから渡されることを可能にする第２のローラと、
前記第２のローラおよび前記コントローラに動作可能に接続され、前記第２のローラを回転させるように構成されたアクチュエータと、をさらに備え、
前記コントローラは、さらに、前記第２のローラを回転させて前記第１のローラに取り付けられた前記感熱基板供給部から前記感熱基板を引き出すために、前記第２のローラに動作可能に接続された前記アクチュエータを操作するように構成されている、請求項１に記載のプリンタ。
【請求項３】
前記コントローラは、さらに、前記第１のローラに取り付けられた前記感熱基板供給部が使い切られていることを検出し、前記第２のローラに巻き付けられた前記感熱基板を取り外して別の感熱基板供給部を前記第１のローラに取り付けることができるように、前記感熱基板供給部が使い切られていることを示す信号を生成するように構成されている、請求項２に記載のプリンタ。
【請求項４】
前記コントローラは、さらに、前記感熱基板の光学濃度に対応したデータを参照して、所定の大きさの材料の液滴を吐出しないインクジェットを特定するように構成されている、請求項１に記載のプリンタ。
【請求項５】
前記プリントヘッドは、３次元オブジェクトを形成するために造形材料を滴下するように構成されている、請求項１に記載のプリンタ。
【請求項６】
前記ヒータは、前記プリントヘッドが前記感熱基板上に材料を吐出している間、前記感熱基板を黒化するために十分な熱エネルギーに前記感熱基板を曝露させるように配置されている、請求項１に記載のプリンタ。
【請求項７】
前記ヒータは、前記プリントヘッドが前記感熱基板上に材料を吐出した後、前記感熱基板を黒化するために十分な熱エネルギーに前記感熱基板を曝露させるように配置されている、請求項１に記載のプリンタ。
【請求項８】
前記ヒータは、前記プリントヘッドが前記感熱基板上に材料を吐出するように操作される前に、前記感熱基板を黒化するために十分な熱エネルギーに前記感熱基板を曝露させるように配置されている、請求項１に記載のプリンタ。
【請求項９】
感熱基板供給部と、
前記感熱基板上の材料の領域に対応した電気信号データを発生するように構成された光学センサと、
前記光学センサに動作可能に接続され、前記光学センサを前記材料が吐出された前記感熱基板に対向する位置に移動させるように構成されたアクチュエータと、
前記感熱基板の所定長さを熱に曝露させるように構成されたヒータと、
前記アクチュエータ、前記光学センサ、および前記ヒータに動作可能に接続され、プリントヘッド内のインクジェットを、前記各インクジェットから所定数の材料液滴を前記感熱基板に吐出させるために操作して、前記所定数の材料液滴により前記感熱基板上に前記各インクジェットのテストドットを形成可能とした後、前記感熱基板の熱に曝される前記所定長さを黒化させるためにヒータを操作し、前記光学センサを前記感熱基板に対向する位置に移動させるために前記アクチュエータを操作し、前記感熱基板の複数の位置における前記感熱基板の光学濃度に対応する前記光学センサから受信した前記画像データを参照して前記プリントヘッドの不動作インクジェットを特定するように構成されたコントローラと、を備える装置。
【請求項１０】
前記感熱基板供給部は、
取り付けられたロールに前記感熱基板供給部が巻き付けられた第１のローラと、
前記感熱基板供給部の遊端に取り付けられ、回転することにより前記感熱基板を前記第１のローラから渡されることを可能にする第２のローラと、
前記第２のローラおよび前記コントローラに動作可能に接続され、前記第２のローラを回転させるように構成されたアクチュエータと、をさらに備え、
前記コントローラは、さらに、前記第２のローラを回転させて前記第１のローラに取り付けられた前記感熱基板供給部から前記感熱基板を引き出すために、前記第２のローラに動作可能に接続された前記アクチュエータを操作するように構成されている、請求項９に記載の装置。
【請求項１１】
前記コントローラは、さらに、前記第１のローラに取り付けられた前記感熱基板供給部が使い切られていることを検出し、前記第２のローラに巻き付けられた前記感熱基板を取り外して別の感熱基板供給部を前記第１のローラに取り付けることができるように、前記感熱基板供給部が使い切られていることを示す信号を生成するように構成されている、請求項１０に記載の装置。
【請求項１２】
前記コントローラは、さらに、前記感熱基板の光学濃度に対応したデータを参照して、所定の大きさの材料の液滴を吐出しないインクジェットを特定するように構成されている、請求項９に記載の装置。
【請求項１３】
前記プリントヘッドは、３次元オブジェクトを形成するために造形材料を滴下するように構成されている、請求項９に記載の装置。
【請求項１４】
前記ヒータは、前記プリントヘッドが前記感熱基板上に材料を吐出するように操作される前に、前記感熱基板を黒化するために十分な熱エネルギーに前記感熱基板を曝露させるように配置されている、請求項９に記載の装置。
【請求項１５】
前記ヒータは、前記プリントヘッドが前記感熱基板上に材料を吐出している間、前記感熱基板を黒化するために十分な熱エネルギーに前記感熱基板を曝露させるように配置されている、請求項９に記載の装置。
【請求項１６】
前記ヒータは、前記プリントヘッドが前記感熱基板上に材料を吐出した後、前記感熱基板を黒化するために十分な熱エネルギーに前記感熱基板を曝露させるように配置されている、請求項９に記載の装置。
【手続補正２】
【補正対象書類名】明細書
【補正対象項目名】発明の名称
【補正方法】変更
【補正の内容】
【発明の名称】プリンタ及び装置